(57)【特許請求の範囲】
【請求項１】
スラリーをスラリー処理装置に供給する際に用いるスラリーディストリビューターであって、水平方向に延びる筒状のディストリビューター本体と、ディストリビューター本体内の入口側に設置されて、スラリーの流れを上下に整流する整流板と、ディストリビューター本体の下面に設けられて、長手方向に沿って直線状に等間隔で配置された複数の落下口とを備えていることを特徴とするスラリーディストリビューター。
【請求項２】
スラリーが水砕スラグスラリーであり、スラリー処理装置が回転脱水装置であることを特徴とする請求項１に記載のスラリーディストリビューター。
【発明の詳細な説明】
【技術分野】
【０００１】
本発明は、スラリー（固液混合体）をスラリー処理装置に供給する際に用いるディストリビューター（スラリーディストリビューター；スラリー分配器）に関するものである。
【背景技術】
【０００２】
例えば、高炉等から排出される溶融スラグを原料にして水砕スラグを製造する際には、溶融スラグに多量の冷却水を噴射して、その冷却水の噴射力によって、溶融スラグは微細な粒子に破砕されながら凝固する。この冷却水によって破砕され凝固したスラグ（水砕スラグ）は、水と混合したスラリー状態（水砕スラグスラリー）になっているので、固液分離装置（脱水装置）に供給され、水砕スラグスラリーから水を分離して水砕スラグを得る。
【０００３】
図５は、上記のようにして水砕スラグを製造する際に用いる水砕スラグ製造装置の一例を示す模式図である。図５に示すように、溶融スラグ１は、水砕装置５に供給され、冷却水で破砕され凝固した後、水砕スラグスラリー２として、回転脱水装置６にディストリビューター７を経由して供給される。そして、回転脱水装置６で水砕スラグスラリー２から水が分離され、水砕スラグ３として、コンベア８で搬出される（例えば、特許文献１）。
【０００４】
ここで、回転脱水装置６に水砕スラグスラリー２を供給する際に用いるディストリビューター７は、回転脱水装置６の回転軸方向（水平方向）に沿って、水砕スラグスラリー２を均等に分配・供給するためのものである。
【０００５】
図２に、従来のディストリビューター９０を示す。図２（ａ）は平面図、図２（ｂ）は側面図である。
【０００６】
図２に示すように、このディストリビューター９０は、水平方向に延びる筒状のディストリビューター本体９１と、ディストリビューター本体９１の入口側に設けられた流入口９２と、ディストリビューター本体９１の出口側に設けられた流出口９３と、ディストリビューター本体９１内の流れを幅方向に３個に分流するための分流板９４と、３個の分流に対応してディストリビューター本体９１の下面に設けられた３個の落下口９５を備えている。
【０００７】
これにより、このディストリビューター９０では、流入口９２から流入した水砕スラグスラリーは、３個に分流されてディストリビューター本体９１内を流れて、それぞれの落下口９５から回転脱水装置内に落下・供給されるようになっている。
【先行技術文献】
【特許文献】
【０００８】
【特許文献１】特開２００１−１８０９８９号公報
【発明の概要】
【発明が解決しようとする課題】
【０００９】
しかし、上述した従来のディストリビューター９０は、水砕スラグスラリー２の大部分が流入口９２の近傍で落下してしまって、長手方向（水平方向）に均等に分配・落下させることが十分でないとともに、ディストリビューター本体９１内に水砕スラグスラリー２が滞留してしまって、回転脱水装置６に供給されない水砕スラグスラリー２の量が多いという問題があった。
【００１０】
本発明は、上記のような事情に鑑みてなされたものであり、スラリー（例えば、水砕スラグスラリー）をスラリー処理装置（例えば、回転脱水装置）に供給する際に用いるスラリーディストリビューターとして、スラリーを均等に分配・供給することが可能であるとともに、スラリーの滞留も解消することが可能であるスラリーディストリビューターを提供することを目的とするものである。
【課題を解決するための手段】
【００１１】
上記課題を解決するために、本発明は以下の特徴を有している。
【００１２】
［１］スラリーをスラリー処理装置に供給する際に用いるスラリーディストリビューターであって、水平方向に延びる筒状のディストリビューター本体と、ディストリビューター本体内の入口側に設置されて、スラリーの流れを上下に整流する整流板と、ディストリビューター本体の下面に設けられて、長手方向に沿って直線状に等間隔で配置された複数の落下口とを備えていることを特徴とするスラリーディストリビューター。
【００１３】
［２］スラリーが水砕スラグスラリーであり、スラリー処理装置が回転脱水装置であることを特徴とする前記［１］に記載のスラリーディストリビューター。
【発明の効果】
【００１４】
本発明のスラリーディストリビューターにおいては、スラリー（例えば、水砕スラグスラリー）をスラリー処理装置（例えば、回転脱水装置）に供給する際に、スラリーを均等に分配・供給することが可能であるとともに、スラリーの滞留も解消することが可能である。その結果、スラリー処理装置の処理量向上を図ることができる。
【図面の簡単な説明】
【００１５】
【図１】本発明の一実施形態におけるディストリビューターを示す図である。
【図２】従来のディストリビューターを示す図である。
【図３】本発明例における水砕スラグスラリー落下量の解析結果を示す図である。
【図４】従来例における水砕スラグスラリー落下量の解析結果を示す図である。
【図５】水砕スラグの製造装置を示す模式図である。
【発明を実施するための形態】
【００１６】
本発明の実施形態を図面に基づいて説明する。なお、ここでは、水砕スラグスラリーを回転脱水装置に供給する場合を念頭において述べる。
【００１７】
図１は、本発明の一実施形態におけるディストリビューター１０を示す図であり、図１（ａ）は平面図、図１（ｂ）は側面図である。
【００１８】
図１に示すように、このディストリビューター１０は、水平方向に延びる筒状のディストリビューター本体１１と、ディストリビューター本体１１の入口側に設けられた流入口１２と、ディストリビューター本体１１の出口側に設けられた流出口１３と、ディストリビューター本体１１の入口側に設けられてディストリビューター本体１１内の流れを上下に整流する整流板１４と、ディストリビューター本体１１の下面に設けられた複数（ここでは、１０個）の落下口１５を備えている。
【００１９】
ここで、整流板１４は、ディストリビューター本体１１の入口側から長手方向に向かって下り傾斜になっているとともに、ディストリビューター本体１１の入口側に近い落下口１５（ここでは、入口側に近い１個半の落下口１５）の上方を覆うようになっている。また、複数の落下口１５は、ディストリビューター本体１１の長手方向に沿って直線状に等間隔で配置されている。
【００２０】
これにより、このディストリビューター１０では、流入口１２から流入した水砕スラグスラリーは、入口側に設けられた整流板１４によって上下に整流され、整流板１４の下方の流れは、ディストリビューター本体１１の入口側に近い落下口１５に向かって流れ、整流板１４の上方の流れは、ディストリビューター本体１１の出口側に近い落下口１５に向かって流れる。そして、長手方向に沿って直線状に等間隔で配置されているそれぞれの落下口１５から回転脱水装置内に落下・供給される。
【００２１】
このようにして、この実施形態におけるディストリビューター１０は、入口側に設けられた流入口１２と、長手方向に沿って直線状に等間隔で配置された複数の落下口１５を備えていることによって、水砕スラグスラリーを回転脱水装置に供給する際に、水砕スラグスラリーを均等に分配・供給することが可能であるとともに、水砕スラグスラリーの滞留も解消することが可能である。その結果、回転脱水装置の処理量向上（水砕スラグの生産量向上）を図ることができる。加えて、水砕スラグスラリーの不均等な分配・供給による回転脱水装置の偏損耗が抑止され、設備保護を図ることができる。
【００２２】
なお、この実施形態では、水砕スラグスラリーを回転脱水装置に供給する場合を念頭において述べたが、本発明は、他のスラリーをスラリー処理装置に供給する場合にも適用することが可能である。
【実施例１】
【００２３】
本発明の有効性を確認するために、水砕スラグスラリーを回転脱水装置に供給する場合を念頭において、シミュレーション計算（流体解析）によって、ディストリビューターにおけるスラリーの分配・供給の均等性とスラリーの滞留性を検証した。
【００２４】
本発明例は、上記の本発明の一実施形態のディストリビューター１０（図１）を用いた場合であり、従来例は、上記の従来のディストリビューター９０（図２）を用いた場合である。
【００２５】
なお、解析方法は、温水（水砕スラグスラリー）が乱流で流入するとし、ディストリビューターより１ｍ下方の高さ位置を水面とし、水面はすべり面とした。また、落下口面は大気圧面とし、径１５ｍｍφの水スラグ粒子が流入口面から一様に水平方向に０．７７ｍ／ｓで流入するとした。壁面（ディストリビューター本体の内壁等）に当たった水砕スラグ粒子は跳ね返ることとし、水砕スラグスラリーは落下口では落下するとした。
【００２６】
そして、流入口から流出口までの間を７個の区間に分割し、各区間での水砕スラグスラリーの落下量（落下量分布）を算定した。また、ディストリビューター内の滞留量も算定した。
【００２７】
本発明例の解析結果を図３に示し、従来例の解析結果を図４に示す。
【００２８】
まず、図４に示すように、従来例では、水砕スラグスラリーの大部分が流入口側付近で落下し、流出口側まで水砕スラグスラリーが届かなかった。しかも、ディストリビューター内の滞留量も多かった。
【００２９】
これに対して、図３に示すように、本発明例では、流出口付近でも水砕スラグスラリーの落下が確認された。しかも、ディストリビューター内の滞留も生じなかった。
【００３０】
これによって、本発明の有効性が確認された。
【符号の説明】
【００３１】
１  溶融スラグ
２  水砕スラグスラリー
３  水砕スラグ
５  水砕装置
６  回転脱水装置
７  ディストリビューター
８  コンベア
１０  ディストリビューター
１１  ディストリビューター本体
１２  流入口
１３  流出口
１４  整流板
１５  落下口
９０  ディストリビューター
９１  ディストリビューター本体
９２  流入口
９３  流出口
９４  分流板
９５  落下口
【図１】
0006414123.tif 000002
【図２】
0006414123.tif 000003
【図３】
0006414123.tif 000004
【図４】
0006414123.tif 000005
【図５】
0006414123.tif 000006